(57)【要約】      （修正有）【課題】椅子と結合して頸部を支持し、通風機能を備える首枕構造を提供する。【解決手段】首枕構造は、被覆体１、クッション本体２及び振動吸収・圧力分散体３を備える。被覆体１は、収納空間１１を有する。クッション本体２は、弧形面２１及び当接底面２２を含む。弧形面２１上には、複数のバンプ２１１が設けられ、バンプ２１１間には、複数の凹状チャネル２１３が設けられる。振動吸収・圧力分散体３は、弧形面２１上を覆うとともに、複数のバンプ２１１及び複数の凹状チャネル２１３上を完全に覆う。振動吸収・圧力分散体３により覆われたクッション本体２を被覆体１の収納空間１１内に収納する。被覆体１は、織布又は弾性メリヤスからなる。被覆体１の前端面には、振動吸収・圧力分散体３を露出させる開口部が設けられる。クッション本体２の弧形面２１には、凹状領域２１２及び複数の凹状チャネル２１３が形成される。【選択図】図１Ａ
0003175371.tif 000002
【実用新案登録請求の範囲】
【請求項１】
被覆体、クッション本体及び振動吸収・圧力分散体を備えた首枕構造であって、
前記被覆体は、収納空間を有し、
前記クッション本体は、弧形面及び当接底面を含み、前記弧形面上には、複数のバンプが設けられ、前記バンプ間には、複数の凹状チャネルが設けられ、
前記振動吸収・圧力分散体は、前記弧形面上を覆うとともに、前記複数のバンプ及び前記複数の凹状チャネル上を完全に覆い、
前記振動吸収・圧力分散体により覆われた前記クッション本体を前記被覆体の前記収納空間内に収納することを特徴とする首枕構造。
【請求項２】
前記被覆体は、織布又は弾性メリヤスからなることを特徴とする請求項１に記載の首枕構造。
【請求項３】
前記被覆体の前端面には、前記振動吸収・圧力分散体を露出させる開口部が設けられることを特徴とする請求項１に記載の首枕構造。
【請求項４】
前記クッション本体の前記弧形面には、凹状領域及び複数の凹状チャネルが形成されることを特徴とする請求項１に記載の首枕構造。
【請求項５】
前記クッション本体の前記弧形面は、複数の横縞状バンプを有し、
前記横縞状バンプ間には、複数の横縞状凹状チャネルが形成されることを特徴とする請求項１に記載の首枕構造。
【請求項６】
前記クッション本体は、発泡体、レーヨン又は天然コットンからなることを特徴とする請求項１に記載の首枕構造。
【請求項７】
前記振動吸収・圧力分散体は、ジェル材料、ラテックス材料、シリコーンゲル、軟質ゴム、軟質合成ゴム、軟質ポリウレタン又はその他弾性材料からなることを特徴とする請求項４に記載の首枕構造。
【請求項８】
前記振動吸収・圧力分散体は中実体であることを特徴とする請求項１に記載の首枕構造。
【請求項９】
前記クッション本体の前記当接底面は、２つの斜面により構成された突出固定部を有することを特徴とする請求項１に記載の首枕構造。
【請求項１０】
前記クッション本体の前記当接底面は平坦面であることを特徴とする請求項１に記載の首枕構造。
【考案の詳細な説明】
【技術分野】
【０００１】
本考案は、首枕構造に関し、特に、通風機能を備えて頭頸部を支持することができるクッション構造に関する。
【背景技術】
【０００２】
従来の車両用椅子には、頭部を寄り掛からせることができる枕構造が設けられているのが一般的である。しかし、このような枕構造は、運転手の後頭部を寄り掛からせることしかできず、垂直方向で直接接続された椅子のシートクッションと下部で接続され、頭部につながっている頸部の関節が曲がっているため、運転手の頭部が枕構造上に寄り掛かると、運転手の頭頸部が支えられずに空中に浮いた状態となることがある。この場合、長時間運転すると運転手の頭頸部の筋肉が徐々に硬くなったり痛くなったりし、さらには、このように痛くなる感覚が下方へ移動して肩甲骨まで伝わって肩が凝ることもある。このように従来の車両用椅子構造には欠点があった。
【０００３】
そのため、運転手の頭頸部が支えられずに空中に浮いてしまうことを防ぐために、車両内や住居内で使用する椅子構造と結合させて運転手の頭頸部を支持する首枕構造が求められていた。
【考案の概要】
【考案が解決しようとする課題】
【０００４】
本考案の目的は、ユーザの頭頸部を支持し、ユーザはリラックスした状態で頭頸部を首枕へ寄り掛からせることができる首枕構造を提供することにある。
本考案のもう一つの目的は、ユーザの頭頸部を首枕構造へ押し付けた際に空気が押し出されて通風機能を得ることができる首枕構造を提供することにある。
【課題を解決するための手段】
【０００５】
上記課題を解決するために、被覆体、クッション本体及び振動吸収・圧力分散体を備えた首枕構造であって、前記被覆体は、収納空間を有し、前記クッション本体は、弧形面及び当接底面を含み、前記弧形面上には、複数のバンプが設けられ、前記バンプ間には、複数の凹状チャネルが設けられ、前記振動吸収・圧力分散体は、前記弧形面上を覆うとともに、前記複数のバンプ及び前記複数の凹状チャネル上を完全に覆い、前記振動吸収・圧力分散体により覆われた前記クッション本体を前記被覆体の前記収納空間内に収納することを特徴とする首枕構造が提供される。
【０００６】
また、前記被覆体は、織布又は弾性メリヤスからなることが好ましい。
【０００７】
また、前記被覆体の前端面には、前記振動吸収・圧力分散体を露出させる開口部が設けられることが好ましい。
【０００８】
また、前記クッション本体の前記弧形面には、凹状領域及び複数の凹状チャネルが形成されることが好ましい。
【０００９】
また、前記クッション本体の前記弧形面は、複数の横縞状バンプを有し、前記横縞状バンプ間には、複数の横縞状凹状チャネルが形成されることが好ましい。
【００１０】
また、前記クッション本体は、発泡体、レーヨン又は天然コットンからなることが好ましい。
【００１１】
また、前記振動吸収・圧力分散体は、ジェル材料、ラテックス材料、シリコーンゲル、軟質ゴム、軟質合成ゴム、軟質ポリウレタン又はその他弾性材料からなることが好ましい。
【００１２】
また、前記振動吸収・圧力分散体は中実体であることが好ましい。
【００１３】
また、前記クッション本体の前記当接底面は、２つの斜面により構成された突出固定部を有することが好ましい。
【００１４】
また、前記クッション本体の前記当接底面は平坦面であることが好ましい。
【考案の効果】
【００１５】
本考案の首枕構造は、以下（１）及び（２）の効果を有する。
（１）ユーザの頭頸部を支持し、ユーザはリラックスした状態で頭頸部を首枕へ寄り掛からせることができる。
（２）ユーザの頭頸部を首枕構造へ押し付けた際に空気が押し出されて通風機能を得ることができる。
【図面の簡単な説明】
【００１６】
【図１Ａ】本考案の第１実施形態による首枕構造を示す分解斜視図である。
【図１Ｂ】本考案の第１実施形態による首枕構造を示す斜視図である。
【図１Ｃ】本考案の第１実施形態による首枕構造を示す断面図である。
【図２】本考案の第２実施形態によるクッション本体を示す斜視図である。
【図３Ａ】本考案の第３実施形態による首枕構造を示す分解斜視図である。
【図３Ｂ】本考案の第３実施形態による首枕構造を示す斜視図である。
【図４】本考案の第４実施形態による首枕構造のクッション本体を示す斜視図である。
【図５Ａ】本考案の第５実施形態による首枕構造を示す分解斜視図である。
【図５Ｂ】本考案の第５実施形態による首枕構造を示す斜視図である。
【図６Ａ】本考案の一実施形態による首枕構造を使用するときの状態を示す模式図である。
【図６Ｂ】本考案の一実施形態による首枕構造を使用するときの状態を示す模式図である。
【図６Ｃ】本考案の一実施形態による首枕構造を使用するときの状態を示す模式図である。
【図６Ｄ】本考案の一実施形態による首枕構造を使用するときの状態を示す模式図である。
【考案を実施するための形態】
【００１７】
以下、本考案の実施形態について図に基づいて説明する。なお、これによって本考案が限定されるものではない。
【実施例１】
【００１８】
図１Ａ、図１Ｂ、図１Ｃ、図６Ａ、図６Ｂ及び図６Ｃを参照する。図１Ａ、図１Ｂ、図１Ｃ、図６Ａ、図６Ｂ及び図６Ｃに示すように、本考案の第１実施形態による首枕構造は、少なくとも被覆体１、クッション本体２及び振動吸収・圧力分散体３から構成される。
【００１９】
被覆体１は、収納空間１１を有する。
【００２０】
クッション本体２は、被覆体１の収納空間１１内に収容され、弧形面２１及び当接底面２２を含む。弧形面２１上には、複数のバンプ２１１が設けられている。複数のバンプ２１１間には、互いに連通した凹状領域２１２及び（又は）凹状チャネル２１３が形成されている。
【００２１】
振動吸収・圧力分散体３は、弧形面２１上を覆うとともに、複数のバンプ２１１と、凹状領域２１２又は凹状チャネル２１３と、を完全に覆い、凹状領域２１２及び凹状チャネル２１３の開放端を遮蔽して空気の流路を形成する。また、凹状チャネル２１３の両端には、空気流を排出するために用いる開放端が形成される。また、振動吸収・圧力分散体３が結合された被覆体１は、収納空間１１内に収納される。さらに、振動吸収・圧力分散体３は、振動を吸収して衝撃を分散させる特性を有し、必要に応じて中実体に形成される。この中実体は、突出部に形成される。
【００２２】
図１Ａを参照する。図１Ａに示すように、クッション本体２の弧形面２１は、バンプ２１１を有する。これら複数のバンプ２１１の中央部には、凹状領域２１２が形成されるとともに、バンプ２１１上に４つの凹状チャネル２１３が形成される。クッション本体２の当接底面２２は、２つの斜面により構成された突出固定部を有し、くの字形に形成して椅子５の頭頸空隙部５１へ配置し、椅子５に当接底面２２を固定する。
【００２３】
ユーザの頭頸部を被覆体１上に寄り掛からせ、クッション本体２及び振動吸収・圧力分散体３により頭頸部４１の重量を支える。振動吸収・圧力分散体３は、ユーザ４の頭頸部４１から受ける圧力を有効に吸収して分散させ、振動吸収・圧力分散体３に圧力が加わると、凹状領域２１２又は凹状チャネル２１３により空気を押し出して通風機能を得る。
【００２４】
被覆体１は、織布又は弾性メリヤスからなってもよい。
【００２５】
クッション本体２は、様々な発泡体、レーヨン又は天然コットンからなってもよい。
【００２６】
振動吸収・圧力分散体３は、ジェル材料、ラテックス材料、シリコーンゲル、軟質ゴム、軟質合成ゴム、軟質ポリウレタン又はその他の弾性材料からなってもよい。
【００２７】
振動吸収・圧力分散体３は、クッション本体２の弧形面２１の表面全体を覆うが、この態様だけに限定されるわけではない。
【実施例２】
【００２８】
図２を参照する。図２に示すように、本考案の第２実施形態による首枕構造のクッション本体２の弧形面には、複数のバンプ２１１が形成される。各複数のバンプ２１１間には、凹状チャネル２１３が形成され、凹状領域２１２が形成されていない点が第１実施形態のクッション本体２と異なるが、その他の構造については第１実施形態と同じであるためここでは繰り返して述べない。
【実施例３】
【００２９】
図３Ａ及び図３Ｂを参照する。図３Ａ及び図３Ｂに示すように、本考案の第３実施形態による首枕構造は、被覆体１の前端面に、振動吸収・圧力分散体３に対応するように開口部１２が設けられている。振動吸収・圧力分散体３は、開口部１２から露出される。そのため、ユーザの頭頸部を振動吸収・圧力分散体３に寄り掛からせると、ユーザの頭頸部が振動吸収・圧力分散体３に直接接触し、ユーザの頭頸部が涼しく感じる点が第１実施形態及び第２実施形態と異なるが、その他の構造については第１実施形態及び第２実施形態と同じであるためここでは繰り返して述べない。
【実施例４】
【００３０】
図４を参照する。図４に示すように、本考案の第４実施形態による首枕構造は、クッション本体２の弧形面２１が、複数の横縞状バンプ２１１１を有し、複数の横縞状バンプ２１１１間に複数の凹状チャネル２１３が形成されている点が第１実施形態〜第３実施形態と異なるが、その他の構造については第１実施形態〜第３実施形態と同じであるためここでは繰り返して述べない。
【実施例５】
【００３１】
図５Ａ及び図５Ｂを参照する。図５Ａ及び図５Ｂに示すように、本考案の第５実施形態による首枕構造は、クッション本体２の当接底面２２が平坦面である点が第１実施形態〜第４実施形態と異なるが、その他の構造については第１実施形態〜第４実施形態と同じであるためここでは繰り返して述べない。
【００３２】
図１Ａ、図１Ｂ、図１Ｃ、図６Ａ、図６Ｂ、図６Ｃ及び図６Ｄを参照する。図１Ａ、図１Ｂ、図１Ｃ、図６Ａ、図６Ｂ、図６Ｃ及び図６Ｄに示すように、本考案の一実施形態による首枕構造のクッション本体２の当接底面２２は、２つの斜面により構成された突出された固定部であり、椅子５の頭頸空隙部５１へ挿入することにより（図６Ａ〜図６Ｃ参照）、椅子５上へ当接底面２２を固定させる。そのため、ユーザ４の頭部をクッション本体２及び振動吸収・圧力分散体３に寄り掛からせると、ユーザ４の頭頸部４１がクッション本体２の弧形面２１により支えられ、振動吸収・圧力分散体３により頭頸部４１の重量を支持することができる。振動吸収・圧力分散体３は、ユーザ４の頭頸部４１の重量を吸収・分散させることができる。そのため、クッション本体２自体が備える緩衝特性と、振動吸収・圧力分散体３の振動吸収・圧力分散特性と、により、ユーザ４の頭頸部４１が怪我をすることを防ぐとともに、頭頸部４１を快適に支持することもできる。
【００３３】
また、クッション本体２の弧形面２１上の凹状領域２１２及び凹状チャネル２１３は、振動吸収・圧力分散体３により覆われて気流チャネルが形成される。凹状チャネル２１３の両端には、開放端が形成される。また、ユーザ４の頭頸部４１が左右に大きく揺れることを防ぐために、凹状領域２１２によりユーザ４の頭頸部４１を安定的に固定し、クッション本体２自体が備える緩衝特性を利用し、振動吸収・圧力分散体３が力を受けて押下されたときに、凹状領域２１２及び凹状チャネル２１３内に集まった熱雰囲気６を凹状チャネル２１３の開放端に向かって続けざまに押し出し、放熱機能及び通風機能を得る。これにより、ユーザ４の頭頸部４１を涼しい状態に保ち、ユーザが暑苦しさを感じないようにする。
【００３４】
上述したことから分かるように、本考案の首枕構造は、以下（１）及び（２）の長所を有する。
（１）ユーザの頭頸部を支持し、ユーザはリラックスした状態で頭頸部を首枕へ寄り掛からせることができる。
（２）ユーザの頭頸部を首枕構造へ押し付けると、空気が押し出されて通風機能を得ることができる。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１  被覆体
２  クッション本体
３  振動吸収・圧力分散体
４  ユーザ
５  椅子
６  熱雰囲気
１１  収納空間
１２  開口部
２１  弧形面
２２  当接底面
４１  頭頸部
５１  頭頸空隙部
２１１  バンプ
２１２  凹状領域
２１３  凹状チャネル
２１１１  横縞状バンプ
【図１Ａ】
0003175371.tif 000003
【図１Ｂ】
0003175371.tif 000004
【図１Ｃ】
0003175371.tif 000005
【図２】
0003175371.tif 000006
【図３Ａ】
0003175371.tif 000007
【図３Ｂ】
0003175371.tif 000008
【図４】
0003175371.tif 000009
【図５Ａ】
0003175371.tif 000010
【図５Ｂ】
0003175371.tif 000011
【図６Ａ】
0003175371.tif 000012
【図６Ｂ】
0003175371.tif 000013
【図６Ｃ】
0003175371.tif 000014
【図６Ｄ】
0003175371.tif 000015